(57)【特許請求の範囲】
【請求項１】
ラック及びカム溝を有するスライドと、前記ラックと係合するギヤを有し該ギヤにより前記スライドを摺動させるレバーとを具えるレバー式コネクタにおいて、
前記ラックと前記カム溝を互いに前記スライドの反対面に夫々設けることを特徴とするレバー式コネクタ。
【発明の詳細な説明】
【０００１】
【発明の属する技術分野】
本発明はレバー式コネクタに関し、特にスライドとレバーを組み合わせたレバー式コネクタに関する。
【０００２】
【従来の技術】
従来、コネクタ同士の嵌合力を低減させる手法としてレバー式コネクタ及びスライド式コネクタがある。また、レバーとスライドを組み合わせて低嵌合力を得るコネクタも知られている。例えば特開平７−１９２８０１号公報に開示された電気コネクタを図７に示す。
【０００３】
この電気コネクタ２００は、互いに嵌合するハウジング手段２０２及びハウジング２０４を有する。ハウジング手段２０２には、ギヤ２０６を有するレバー２０８が回動可能にピボットピン２１０に枢着されている。更にハウジング手段２０２の長手方向にはカム溝２１４が摺動可能に配置されている。ハウジング２０４のボス２１８はスライド２１２のカム溝２１４と係合し、レバー２０８のギヤ２０６はスライド２１２のラック２１６と係合している。これにより、レバー２０８を回動させるとハウジング手段２０２とハウジング２０４は互いに挿抜される。
【０００４】
【発明が解決しようとする課題】
しかし、前述の構成では、２つのカム溝２１４の間にラック２１２が位置するようにスライド２１２の長手方向に沿って順に並べて配置されている。この為、ラック２１６の寸法、即ち長さが制約を受け、レバー２０８の所望の低操作力が得られない慮れがある。また、ラック２１６を長くしようとするとスライド２１２が大型化し、コネクタ２００の全体の寸法も大型化してしまう。コネクタ２００の外寸法が限られた状態ではカム溝２１４の傾斜を緩くするのに制約があり、低挿入力も限度がある。更にラック２１６は２つのカム溝２１４の間にある為、レバーの位置が必然的に決まり、コネクタの設計上の自由度が低いという問題がある。
【０００５】
本発明のレバー式コネクタは以上の点に鑑みて発明されたものであり、以下の点を目的とする。
【０００６】
本発明の目的は、コネクタを大型化することなく低挿入力のレバー式コネクタを提供することである。
【０００７】
本発明の他の目的は、設計の自由度が大きいレバー式コネクタを提供することである。
【０００８】
【課題を解決するための手段】
本発明のレバー式コネクタは、ラック及びカム溝を有するスライドと、前記ラックと係合するギヤを有し該ギヤにより前記スライドを摺動させるレバーとを具えるレバー式コネクタにおいて、前記ラックと前記カム溝を互いに前記スライドの反対面に夫々設けることを特徴とする。
【０００９】
【発明の実施の形態】
以下、本発明の好適な実施形態について、添付図を参照して詳細に説明する。
【００１０】
図１は、本発明のレバー式コネクタ１（以下、単にコネクタという）の一実施形態を示す分解斜視図である。略矩形を有する樹脂製のキャップハウジング２（以下、単にキャップという）は、プラグハウジング（以下、単にプラグという）７０、７２（図２参照）を挿入する為のリブ４で仕切られたキャビティ６、８及び、レバー１０を取り付ける為のレバー取付部１２を有する。レバー取付部１２はキャップ２の側壁１４ａ、１４ｂに沿って二重の壁、即ち内壁１８ａ、１８ｂ及び外壁１９ａ、１９ｂを有する。外壁１９ａ、１９ｂには円形の穴２０が穿設されており、二重壁の間に挿入されたレバー１０の回転軸となる円形の突起２２と係合するように構成される。なお図中、端子は省略してある。キャップ２は後述するスライド３０を摺動可能に受容する案内溝３２を有する。
【００１１】
レバー１０は、断面略コ字状の樹脂製一体部材であり、手で操作する操作部２４とギヤ２６を有する。ギヤ２６は円周に沿って部分的に形成された歯２８を有する。
【００１２】
スライド３０は２枚の平板状部材から構成され内面３４にカム溝３６ａ、３６ｂ、３６ｃ、３７ａ、３７ｂ、３７ｃが略等間隔に形成されている。スライドの外面３８にはカム溝３６ａ、３７ａと対応する位置にラック４０が形成されている。即ちラック４０はカム溝３６ａ、３７ａとオーバーラップしてスライド３０の反対面に形成されている。
【００１３】
図２には、組立てられたレバー式コネクタ１に相手方のプラグ７０、７２が挿入される状態の斜視図を示す。図２に於いてはラック４０とギヤ２６とは係合した状態となっている。カム溝３６ａ〜３６ｃ、３７ａ〜３７ｃが所定の位置にあるときに、ラック４０の端部４１を側壁１４ｂの開口縁４３に当接させて、レバー１０の初期位置を規制してもよい。プラグ７０、７２は独立しており、夫々キャビティ６、８に挿入される。プラグ７０にはカム従動子即ちボス７４が両側に形成され、このボス７４はスライド３０のカム溝３６ｃ、３７ｃに挿入される。またプラグ７２には４個のボス７６が形成されており、これらのボス７６はカム溝３６ａ、３６ｂ、３７ａ、３７ｂに挿入される。
【００１４】
図３にプラグ７０、７２をキャップ２に挿入した状態の斜視図を示す。この状態ではプラグ７０、７２はキャップ２の嵌合面３から大きく突出している。
【００１５】
次に図４に、レバー１０を矢印Ａで示す方向へ回動させてプラグ７０、７２とキャップ２とを完全に嵌合させた状態の斜視図を示す。プラグ７０、７２は周知の如くスライド３０の移動によりカム溝３６ａ〜３６ｃ、３７ａ〜３７ｃによって内方へ引き込まれてキャップ２と各々嵌合する。レバー１０が最終位置まで回動すると操作部２４の端部に形成された爪４２とキャップ２の側壁１４ａ、１４ｂから突出するラッチアーム４４の突起４６とが係合して、レバー１０は最終回動位置に保持される。
【００１６】
図５にレバー１０が最終回動位置にあるときのコネクタ１の平面図を示す。この図ではプラグ７０、７２は省略されている。この図から判るようにラック４０はカム溝３６ａ、３７ａと重なっている為、ラック４０を設ける為にコネクタ１の長手方向に突出させて大きくする必要がない、また各カム溝３６ａ−ｃ、或いは３７ａ〜３７ｃの間の間隔は狭くとも、十分な長さのラックを設けることができ低嵌合力に寄与することが理解できよう。ラック４０の位置は本実施形態ではカム溝３６ａ、３７ａと重なっているが、その位置を変更してカム溝３６ｂ、３７ｂ或いはカム溝３６ｃ、３７ｃと重なる様、コネクタ１を構成してもよい。コネクタ１の使用場所、用途に応じて係合位置を自由に設計することができる。更にラック４０は必要に応じ２つのカム溝、例えば３６ａ、３７ａと３６ｂ、３６ｂにまたがるように設けてもよい。ここで重要なことはラックの取付位置を任意の位置に設定するのに制約がないということである。
【００１７】
次に、図６に他の実施形態のコネクタ１００を示す。コネクタ１００は、キャップハウジング（以下、単にキャップという）１０２のレバー取付部１１２にレバー１１０を円滑に挿入するガイド、即ち案内１５０を有する。ガイド１５０はコネクタ１００の長手方向に直交する方向に延び、内面にレバー１１０の突起１２２と係合する円形の凹部１５１を有する。図中１５３はプラグ７２の挿入時にボス７６を案内するガイドである。
【００１８】
レバー１１０は操作部１２４に、先端部に角穴１５２を有するラッチ舌片１５４を有する。レバー１１０が完全に回動すると角穴１５２がキャップ１０２の側壁１１４ａ、１１４ｂに形成したラッチ突起１５６と係合してレバーを固定する。この係合を解除してプラグを抜去するときは、指でラッチ舌片１５４を挟持して係合を解除し、レバー１１０をそのまま引き起こせばよい。
【００１９】
スライド１３０は、先の実施形態と基本的に同じであるが材料を低減する為に肉抜き１５８により薄くしている。ラック１４０と、カム溝１３６、１３８の形状は基本的に先の実施形態と同じである。
【００２０】
以上、本発明の好適な実施形態について詳細に説明したが、他にも種々の変形変更が可能であることはいうまでもない。例えば、スライドのラックとカム溝を実施形態とは逆に、即ちラックをスライドの内面にカム溝を外面に設けることも考えられよう。
【００２１】
【発明の効果】
本発明のレバー式コネクタは、ギヤと係合するラック、及びカム溝を互いに、スライドの反対面に設けたので次の効果を奏する。
【００２２】
即ち、コネクタを大型化することなく十分な低挿入力を得ることができる。ラックの位置を自由に設定できるのでコネクタの設計の自由度を大きくできる。カム溝の大きさ、傾斜の度合いをラックの制約を受けることなく設計できるので、所望の低挿入力が得られる等、簡単な構成でありながら極めて顕著な効果を奏する。
【図面の簡単な説明】
【図１】    本発明のレバー式コネクタの分解斜視図である。
【図２】    図１のレバー式コネクタをプラグハウジングと共に示す斜視図である。
【図３】    プラグハウジングをコネクタ１に挿入した状態を示す斜視図である。
【図４】    レバーを最終位置まで回動させた状態を示す斜視図である。
【図５】    レバーを最終位置まで回動させた状態を示す、図１のレバー式コネクタの平面図である。
【図６】    他の実施形態のレバー式コネクタを示す、図１と同様の分解斜視図である。
【図７】    従来例のレバー式コネクタを示す斜視図である。
【符号の説明】
１、１００    レバー式コネクタ
１０、１１０  レバー
２６          ギヤ
３０、１３０  スライド
３６ａ、３６ｂ、３６ｃ、３７ａ、３７ｂ、３７ｃ、１３６、１３８  カム溝
４０、１４０  ラック
【図１】
0003687874.tif 000002
【図２】
0003687874.tif 000003
【図３】
0003687874.tif 000004
【図４】
0003687874.tif 000005
【図５】
0003687874.tif 000006
【図６】
0003687874.tif 000007
【図７】
0003687874.tif 000008